(57)【特許請求の範囲】
【請求項１】
蒸気を発生させる加圧流動床ボイラと、この加圧流動床ボイラで発生した蒸気により駆動される蒸気タービンと、前記加圧流動床ボイラからの燃焼排ガスにより駆動されるガスタービンと、前記蒸気タービンの復水器から前記加圧流動床ボイラへ給水する給水系統とを備え、前記給水系統に、ガスタービン排ガスと熱交換を行い給水を加熱する排ガス熱交換器と、該排ガス熱交換器から供給される給水を脱気する脱気器が設けられている加圧流動床複合発電プラントにおいて、
前記給水系統に、前記脱気器または脱気器出口側の給水を、前記排ガス熱交換器内の給水の置換水として該排ガス熱交換器に供給する置換水供給系統を設けたことを特徴とする加圧流動床複合発電プラント。
【請求項２】
置換水供給系統が、供給ポンプおよび供給流量を調整する調整弁を備えたものである請求項１記載の加圧流動床複合発電プラント。
【請求項３】
蒸気を発生させる加圧流動床ボイラと、この加圧流動床ボイラで発生した蒸気により駆動される蒸気タービンと、前記加圧流動床ボイラからの燃焼排ガスにより駆動されるガスタービンと、前記蒸気タービンの復水器から前記加圧流動床ボイラへ給水する給水系統とを備え、前記給水系統に、ガスタービン排ガスと熱交換を行い給水を加熱する排ガス熱交換器と、該排ガス熱交換器から供給される給水を脱気する脱気器が設けられている加圧流動床複合発電プラントにおいて、
前記給水系統に、前記排ガス熱交換器の出口側の給水を前記復水器へ供給する給水循環系統を設けたことを特徴とする加圧流動床複合発電プラント。
【請求項４】
前記給水循環系統に、緊急停止時および起動停止時に排ガス熱交換器出口から復水器への置換水を規定量に制御する調節弁，流量計および温度計を設けてなる請求項３記載の加圧流動床複合発電プラント。
【請求項５】
蒸気を発生させる加圧流動床ボイラと、この加圧流動床ボイラで発生した蒸気により駆動される蒸気タービンと、前記加圧流動床ボイラからの燃焼排ガスにより駆動されるガスタービンと、前記蒸気タービンの復水器から前記加圧流動床ボイラへ給水する給水系統とを備え、前記給水系統に、給水を加熱する排ガス熱交換器，給水加熱器および脱気器が設けられている加圧流動床複合発電プラントにおいて、
前記給水系統に、緊急停止または起動停止時に前記脱気器の水位制御装置からの信号により脱気器レベル調節弁を介して前記排ガス熱交換器へ置換水を供給する置換水供給系統を設けるとともに、この置換水供給系統に、供給置換水量を規定量に制御する調節弁を設けたことを特徴とする加圧流動床複合発電プラント。
【請求項６】
蒸気を発生させる加圧流動床ボイラと、この加圧流動床ボイラで発生した蒸気により駆動される蒸気タービンと、前記加圧流動床ボイラからの燃焼排ガスにより駆動されるガスタービンと、前記蒸気タービンの復水器から前記加圧流動床ボイラへ給水する給水系統とを備え、前記給水系統に、給水を加熱する排ガス熱交換器，給水加熱器および脱気器が設けられている加圧流動床複合発電プラントにおいて、
前記給水系統に、緊急停止時および起動停止時に排ガス・灰ク−ラ出口から排ガス熱交換器への置換水を供給する置換水供給系統を設けるとともに、この置換水供給系統に、供給置換水量を規定量に制御するため調節弁および流量計を設けたことを特徴とする加圧流動床複合発電プラント。
【請求項７】
蒸気を発生させるボイラと、該ボイラで発生した蒸気により駆動される蒸気タービンと、燃焼ガスにより駆動されるガスタービンと、前記蒸気タービンで仕事をした蒸気を復水する復水器と、該復水器から前記ボイラへ給水する給水系統とを備え、前記給水系統は、前記復水器から供給される給水と前記ガスタービンの排ガスとを熱交換して前記給水を加熱する排ガス熱交換器と、該排ガス熱交換器から供給される給水を脱気する脱気器とを有する発電プラントにおいて、
前記給水系統に、前記脱気器または脱気器出口側の給水を、前記排ガス熱交換器へ供給する給水供給系統を設けたことを特徴とする発電プラント。
【発明の詳細な説明】
【０００１】
【発明の属する技術分野】
本発明は、加圧流動床ボイラとガスタービンと蒸気タービンとを備えている加圧流動床複合発電プラント、及び発電プラントに関するものである。
【０００２】
【従来の技術】
従来一般に採用されているこの種の加圧流動床複合発電プラントは、図８にその概略系統が示されているように、復水ポンプ１２と脱気器１７の間に低圧給水加熱器１４，排ガス・灰クーラ３０および排カス熱交換器６が並列に設置され、そして低圧給水加熱器１４，排ガス・灰クーラ３０および排カス熱交換器６の給水量は、その入口または出口に設けられている流量調節弁により制御され、また、脱気器１７への給水は、復水ポンプ１２出口に設置された脱気器水位調節弁１３により制御されるようになっているのが普通である。
【０００３】
なお、この種加圧流動床複合発電プラントに関連するものとしては、例えば特開平６−１８５７０４号公報が挙げられる。
【０００４】
【発明が解決しようとする課題】
このように形成されている加圧流動床複合発電プラントであると、プラントの緊急停止時において、給水量を急速に減少させると脱気器水位調節弁１３の応答遅れ、脱気器１７内の蒸気凝縮および脱気器内給水の落水により脱気器水位が上昇し脱気器水位調節弁１３が脱気器水位計１８から信号により全閉となり脱気器１７への給水が停止される。
【０００５】
一方、排ガス・灰クーラ３０および排ガス熱交換器６は、ガス側および灰側からの入熱により給水が加熱され、このため排ガス・灰クーラ３０および排カス熱交換器６廻りの給水がフラッシュ（水⇒蒸気）し、排ガス・灰クーラ３０および排カス熱交換器６などの機器および配管弁を損傷することが容易に推定される。
【０００６】
またプラント起動停止時に少量の給水をボイラへ供給すると脱気器水位調節弁１３の連続制御が不可能となり脱気器１７への給水が停止（ＯＮ−ＯＦＦ制御）される可能性があり緊急停止時と同様の事象が発生することが考えられる。なお、前述した特開平６−１８５７０４号公報に記載のものでは、緊急停止時および起動停止時における配慮に欠け、ガス側および灰側からの入熱による排ガス・灰クーラ３０および排カス熱交換器６廻りの給水フラッシュを防止することは不可能であった。
【０００７】
本発明はこれに鑑みなされたもので、その目的とするところは、プラントの起動停止時および緊急停止時に排ガス熱交換器廻りで発生するフラッシュを充分防止し、安定運転の確保、機器保護および信頼性の向上を図ることが可能なこの主の加圧流動床複合発電プラント、及び発電プラントを提供することにある。
【０００８】
【課題を解決するための手段】
すなわち本発明は、蒸気を発生させる加圧流動床ボイラと、この加圧流動床ボイラで発生した蒸気により駆動される蒸気タービンと、前記加圧流動床ボイラからの燃焼排ガスにより駆動されるガスタービンと、前記蒸気タービンの復水器から前記加圧流動床ボイラへ給水する給水系統とを備え、前記給水系統に、ガスタービン排ガスと熱交換を行い給水を加熱する排ガス熱交換器と、該排ガス熱交換器から供給される給水を脱気する脱気器が設けられている加圧流動床複合発電プラントにおいて、前記給水系統に、前記脱気器または脱気器出口側の給水を、前記排ガス熱交換器内の給水の置換水として排ガス熱交換器に供給する置換水供給系統を設けるようになし所期の目的を達成するようにしたものである。
【０００９】
また本発明は、蒸気を発生させる加圧流動床ボイラと、この加圧流動床ボイラで発生した蒸気により駆動される蒸気タービンと、前記加圧流動床ボイラからの燃焼排ガスにより駆動されるガスタービンと、前記蒸気タービンの復水器から前記加圧流動床ボイラへ給水する給水系統とを備え、前記給水系統に、ガスタービン排ガスと熱交換を行い給水を加熱する排ガス熱交換器と、該排ガス熱交換器から供給される給水を脱気する脱気器が設けられている加圧流動床複合発電プラントにおいて、前記給水系統に、前記排ガス熱交換器の出口側の給水を前記復水器へ供給する給水循環系統を設けるようにしたものである。
【００１０】
またこの場合、前記給水循環系統に、緊急停止時および起動停止時に排ガス熱交換器出口から復水器への置換水を規定量に制御する調節弁，流量計および温度計を設けるようにしたものである。
【００１１】
また本発明は、蒸気を発生させる加圧流動床ボイラと、この加圧流動床ボイラで発生した蒸気により駆動される蒸気タービンと、前記加圧流動床ボイラからの排ガスにより駆動されるガスタービンと、前記蒸気タービンの復水器から前記加圧流動床ボイラへ給水する給水系統を備え、前記給水系統に、給水を加熱する排ガス熱交換器，給水加熱器および脱気器が設けられている加圧流動床複合発電プラントにおいて、前記給水系統に、緊急停止または起動停止時に前記脱気器の水位制御装置からの信号により脱気器レベル調節弁を介して前記排ガス熱交換器へ置換水を供給する置換水供給系統を設けるとともに、この置換水供給系統に、供給置換水量を規定量に制御する調節弁を設けるようにしたものである。
【００１２】
また本発明は、蒸気を発生させる加圧流動床ボイラと、この加圧流動床ボイラで発生した蒸気により駆動される蒸気タービンと、前記加圧流動床ボイラからの燃焼排ガスにより駆動されるガスタービンと、前記蒸気タービンの復水器から前記加圧流動床ボイラへ給水する給水系統とを備え、前記給水系統に、給水を加熱する排ガス熱交換器，給水加熱器および脱気器が設けられている加圧流動床複合発電プラントにおいて、前記給水系統に、緊急停止時および起動停止時に排ガス・灰ク−ラ出口から排ガス熱交換器への置換水を供給する置換水供給系統を設けるとともに、この置換水供給系統に、供給置換水量を規定量に制御するため調節弁および流量計を設けるようにしたものである。
また本発明は、蒸気を発生させるボイラと、該ボイラで発生した蒸気により駆動される蒸気タービンと、燃焼ガスにより駆動されるガスタービンと、前記蒸気タービンで仕事をした蒸気を復水する復水器と、該復水器から前記ボイラへ給水する給水系統とを備え、前記給水系統は、前記復水器から供給される給水と前記ガスタービンの排ガスとを熱交換して前記給水を加熱する排ガス熱交換器と、該排ガス熱交換器から供給される給水を脱気する脱気器とを有する発電プラントにおいて、前記給水系統に、前記脱気器または脱気器出口側の給水を、前記排ガス熱交換器へ供給する給水供給系統を設けるようにしたものである。
【００１３】
すなわちこのように形成された加圧流動床複合発電プラントであると、排ガス熱交換器内の給水を置換するため脱気器の給水を脱気器出口から排ガス熱交換器へ供給するための供給系統が設けられていることから、緊急停止時および起動停止時に脱気器水位調節弁が全閉した場合であっても、脱気器の給水を脱気器から排ガス熱交換器入口管へ供給することが可能となり、ガス側および灰側からの入熱による排ガス熱交換器廻りの温度上昇を緩和することができ安定した運転状態を確保することが可能となるのである。
【００１４】
また、排ガス熱交換器の給水を置換するため、排ガス・灰クーラ出口の給水を排ガス・灰クーラ出口管から排ガス熱交換器へ供給するための系統が設けられていることから、緊急停止時および起動停止時に脱気器水位調節弁が全閉した場合でも排ガス・灰クーラ出口の給水を排ガス・灰クーラ出口管から排ガス熱交換器へ供給することが可能となるため、ガス側および灰側からの入熱による排ガス熱交換器廻りの温度上昇を緩和することがき安定した運転状態を確保することが可能となる。
【００１５】
また、排ガス熱交換器出口の給水を復水器へ供給するための系統が設けられていることから、緊急停止時および起動停止時に少量の給水を加圧流動床ボイラへ供給する場合でも排ガス熱交換器出口の給水を復水器へ供給することにより、脱気器水位調節弁の通水量が増加するため脱気器水位調節弁の連続制御が可能性となる。このため、排ガス熱交換器の給水量が増加し、ガス側および灰側からの入熱による排ガス熱交換器廻りの温度上昇を緩和することができ安定した運転状態を確保することが可能となる。
【００１６】
またもう一つの発明は、脱気器水位調節弁の制御を脱気器水位装置（給水流量、給水ダンプ流量、脱気器水位と緊急停止モード）からの信号等により先行制御し排ガス熱交換器への給水を復水ポンプ出口より供給したもので、これにより、緊急停止時および起動停止時に少量の給水をボイラへ供給すると場合でも復水ポンプ出口の給水を脱気器水位調節弁を介し排ガス熱交換器へ給水することが可能となるため、ガス側および灰側からの入熱による排ガス熱交換器廻りの温度上昇を緩和することがき安定した運転状態を確保することが可能となる。
【００１７】
また、本発明は、給水循環ポンプ出口の配管部に、給水量を調節するための給水循環ポンプ出口流量計と給水循環ポンプ出口流量調節弁が設けられていることから、緊急停止時および起動停止時の脱気器から排ガス熱交換器への給水量を規定値に調節することが可能となり、ガス側および灰側からの入熱による排ガス熱交換器廻りの温度上昇を緩和することがき安定した運転状態を確保することが可能となる。
【００１８】
また、排ガス熱交換器出口から復水器への給水量を調節するための給水ダンプ流量計、給水ダンプ流量調節弁、脱気器圧力計、復水ダンプ流量計、および排ガス熱交換器温度計が設けられていることから、緊急停止時および起動停止時に少量の給水をボイラへ供給すると場合でも排ガス熱交換器出口の給水を復水器へ供給することにより、脱気器水位調節弁の通水量が増加するため脱気器水位調節弁の連続制御が可能性となる。このため、排ガス熱交換器の給水量が増加し、ガス側および灰側からの入熱による排ガス熱交換器廻りの温度上昇を緩和することがき安定した運転状態を確保することが可能となるのである。
【００１９】
【発明の実施の形態】
以下図示した実施例に基づいて本発明を詳細に説明する。図１にはその加圧流動床複合発電プラントの系統が示されている。図中４がガスタービンであり、１がガスタービン圧縮機、２が加圧流動床ボイラ、８が高圧蒸気タービン、９が再熱蒸気タービンである。なお、５はガスタービン発電機であり、１０は蒸気タービン発電機、７は排ガス用の煙突である。
【００２０】
まず、この図に示されているように、ガスタービン圧縮機１に導入された空気は、高圧空気となって加圧流動床ボイラ２へ導入される。そしてこの導入された高圧空気は、加圧流動床ボイラ内で燃料供給系統３から供給される燃料とともに燃焼し、高温・高圧の燃料ガスとなり、ガスタービン４にて膨張し仕事をする。ガスタービン４はガスタービン発電機５を回転させ電気出力を得る。その後、この仕事を終えたガスタービン排ガスは、排ガス熱交換器６で給水と熱交換し、やがて煙突７より大気へ放出される。
【００２１】
一方、加圧流動床ボイラ２に供給された高温給水は、加圧流動床ボイラ２で加熱され高温高圧蒸気となって高圧蒸気タービン８へ送られ高圧蒸気タービン８を回転駆動させる。さらに膨張した低圧蒸気は、再び加圧流動床ボイラ２で熱回収が行なわれ、高温蒸気となり再熱蒸気タービン９に送られ再熱蒸気タービン９を回転駆動する。これら蒸気タービン８，９は、蒸気タービン発電機１０を駆動し、電気出力を得る。
【００２２】
再熱蒸気タービン９で仕事をした蒸気は、低温低圧蒸気となって復水器１１で海水と熱交換され、凝縮して復水となり復水器１１内に貯められる。復水器１１内に貯められた復水は、復水器１１出口に設置された復水ポンプ１２にて昇圧されて低圧給水加熱器１４および排ガス熱交換器６へ給水され、蒸気タービン抽気４３およびガスタービンからの排ガスと熱交換を行う。
【００２３】
その後この給水は、脱気器１７に導かれて脱気される。脱気された給水はさらに給水ポンプ２０にて昇圧されて高圧給水加熱器２２へ給水され、その後、加圧流動床ボイラ２へ高温給水として給水される。
【００２４】
なおこの系統で、緊急停止時においては、加圧流動床ボイラ２内の加熱管を高温高圧ガスから保護するために、少量の給水を供給しクーリング蒸気を加熱管へ供給する必要があり、復水ポンプ１２出口の脱気器水位調節弁１３にて脱気器１７水位を調節し、かつ給水ポンプ２０の回転数、または給水流量調節弁２１にて給水流量を制御するようにしている。
【００２５】
また、起動停止時においても、加圧流動床ボイラ２へ少量の給水を復水ポンプ１２出口の脱気器水位調節弁１３にて脱気器１７水位を調節し、かつ給水ポンプ２０の回転数、または給水流量調節弁２１にて給水流量を制御するようにしている。
【００２６】
本発明はこのような加圧流動複合発電プラントにおいて、排ガス熱交換器６内の給水を置換するため脱気器１７の給水を脱気器１７から排ガス熱交換器６入口管へ供給するための置換水供給系統，すなわちポンプ２４および配管弁２６を設けたことである。
【００２７】
これにより、緊急停止時は給水量を急速に減少させると脱気器水位調節弁１３の応答遅れ、脱気器１７内の蒸気凝縮および脱気器１７内給水の落水により脱気器１７水位が上昇し脱気器水位調節弁１３が脱気器水位計１８からの信号により全閉となり脱気器１７への給水が停止された場合でも脱気器１７の給水を脱気器１７出口から給水循環ポンプ２４へ供給し、昇圧した後給水循環ポンプ出口流量計２５、給水循環ポンプ出口流量調節弁２６、排ガス熱交換器６入口管、排ガス熱交換器６、脱気器１７へ循環することが可能となり、ガス側および灰側からの入熱による排ガス熱交換器６廻りの温度上昇を緩和することが可能となるのである。
【００２８】
特に給水循環ポンプ出口流量計２５からの信号により給水循環ポンプ出口流量調節弁２６を制御することができるため安定した運転状態を確保することが可能となるのである。
【００２９】
また、起動停止時は少量の給水を加圧流動床ボイラ２へ給水する必要があり、脱気器水位計１８からの信号により脱気器水位調節弁１３が  ＯＮ−ＯＦＦ  動作になると考えられるが、前記の運転を行うことにより、ガス側および灰側からの入熱による排ガス熱交換器６廻りの温度上昇を緩和することが可能となる。
【００３０】
図２は、本発明のもう一つの実施例を示すもので、脱気器１７の給水を排ガス・灰クーラ３０から排ガス熱交換器６の入口管へ供給するための置換水供給系統を設けたものである。すなわち、脱気器内１７の給水は、高温冷却水タンク水位調節弁２７を介して高温冷却水タンク２８へ供給され、高温冷却水タンク２８へ供給された給水（高温冷却水）は、高温冷却水ポンプ２９で昇圧し、排ガス・灰クーラ３０にて熱交換後冷却水圧力調節弁３１を介し高温冷却水タンク２８へ戻され、排ガス・灰クーラ３０の交換熱量は、高温冷却水タンク２８内でフラッシュし、高温冷却水タンク圧力調節弁３２を介し低圧給水加熱器１４へ回収される。
【００３１】
この場合、排ガス熱交換器６内の給水を置換するため脱気器１７の給水を排ガス・灰クーラ３０出口（または入口）から排ガス熱交換器６入口管へ供給するための配管弁が設けられていることから、これにより、緊急停止時に給水量を急速に減少させると脱気器水位調節弁１３の応答遅れ、脱気器１７内の蒸気凝縮および脱気器１７内給水の落水により脱気器１７水位が上昇し脱気器水位調節弁１３が脱気器水位計１８から信号により全閉となり脱気器１７への給水が停止された場合でも排ガス・灰クーラ出口給水流量調節弁３４を作動させると高温冷却水タンク２８の水位が低下するため脱気器１７内の給水が高温冷却水タンク水位計３５らの信号により高温冷却水タンク水位調節弁２７が作動し脱気器１７内の給水が高温冷却水タンク２８へ供給される。
【００３２】
そして、高温冷却水タンク２８へ供給された給水（高温冷却水）は、高温冷却水ポンプ２９で昇圧され排ガス・灰クーラ３０出口から排ガス・灰クーラ出口給水流量計３３、排ガス・灰クーラ出口給水流量調節弁３４、排ガス熱交換器６入口管、排ガス熱交換器６、脱気器１７へ循環することが可能となり、ガス側および灰側からの入熱による排ガス熱交換器１７廻りの温度上昇を緩和することが可能となる。特に排ガス・灰クーラ出口給水流量計３３からの信号により排ガス・灰クーラ出口給水流量調節弁３４を制御することができるため安定した運転状態を確保することが可能となる。
【００３３】
また、起動停止時は少量の給水を加圧流動床ボイラ２へ給水する必要があり、脱気器水位計１８からの信号により脱気器水位調節弁１３が  ＯＮ−ＯＦＦ  動作になると考えられるが、前記の運転を行うことにより、ガス側および灰側からの入熱による排ガス熱交換器６廻りの温度上昇を緩和することが可能となる。
【００３４】
図３は、さらに本発明の他の実施例を示すもので、この場合には、排ガス熱交換器６出口の給水を復水器１１へ供給するための配管および弁を設け、さらに脱気器水位計１８、脱気器圧力計１９および排ガス熱交換器出口給水温度計１６および緊急停止モードから構成される給水タンプ流量制御装置４１からの信号により給水タンプ流量調節弁３９を制御したことである。
【００３５】
これにより、緊急停止時（燃料系停止、蒸気タービン停止、ガスタービン停止等）は、給水タンプ流量制御装置４１からの信号により給水タンプ流量調節弁３９を制御することにより排ガス熱交換器６出口の給水を復水器１１へ供給すると復水器１１から排ガス熱交換器６出口の循環量が増加し、脱気器水位調節弁１３の通水量が増えるため脱気器水位調節弁１３の連続制御が可能性となる。このため、排ガス熱交換器６の給水量が増加し、ガス側および灰側からの入熱による排ガス熱交換器６廻りの温度上昇を緩和することがき安定した運転状態を確保することが可能となる。
【００３６】
また、起動停止時に少量の給水を加圧流動床ボイラ２へ供給する場合でも給水タンプ流量調節弁３９を制御することにより排ガス熱交換器６出口の給水を復水器１１へ供給すると復水器１１から排ガス熱交換器６出口の循環量が増加し排ガス熱交換器６出口の給水を復水器１１へ供給することにより、脱気器水位調節弁１３の通水量が増加するため脱気器水位調節弁１３の連続制御が可能性となる。このため、排ガス熱交換器６の給水量が増加し、ガス側および灰側からの入熱による排ガス熱交換器６廻りの温度上昇を緩和することがき安定した運転状態を確保することが可能となる。
【００３７】
図４は、この実施例の概略制御説明図で、脱気器圧力計１９、排ガス熱交換器出口給水温度計１６および緊急停止モードの弁固定値への切替え回路並びに給水タンプ流量調節弁３９から構成され、脱気器１７内圧（関数により脱気器内圧を飽和温度に変換）と排ガス熱交換器出口給水温度の偏差を一定とし比例・積分をおこない切替えスイッチを介し給水タンプ流量調節弁３９を制御する。また緊急停止モードの場合は、給水タンプ流量が一定量（アナログ設定値）になるよう切替スイッチを介し給水タンプ流量調節弁３９を制御する。このため、起動停止は、排ガス熱交換器出口給水温度を脱気器１７内圧を飽和温度に以下になるよう制御される。また、緊急停止時は一定量（アナログ設定値）の給水を、排ガス熱交換器出口から給水タンプ流量調節弁３９を介し復水器１１に回収することが可能となる。
【００３８】
図５は、本発明の他の実施例を示す構成図で、前記実施例（図２）と（図３）を組み合わせ、さらに復水流量計１５、脱気器水位計１８、給水ダンプ流量計３８、給水流量計２３および緊急停止モードの信号により構成される脱気器水位制御装置４０を設けたことである。
【００３９】
これにより、緊急停止時（燃料系停止、蒸気タービン停止、ガスタービン停止等）は、脱気器水位制御装置４０からの信号により脱気器水位調節弁１３を制御することによりクーリング蒸気を発生するに必要な給水を加圧流動床ボイラ２へ供給することができる。
【００４０】
さらに、排ガス熱交換器出口温度が上昇すると、排ガス熱交換器６出口の給水を復水器１１へ供給し復水器１１から排ガス熱交換器６出口の循環量が増加し、脱気器水位調節弁１３の通水量が増えるため脱気器水位調節弁１３の連続制御が可能性となる。このため、排ガス熱交換器６の給水量が増加し、ガス側および灰側からの入熱による排ガス熱交換器６廻りの温度上昇を緩和することができ安定した運転状態を確保することが可能となる。
【００４１】
また、起動停止時に少量の給水を加圧流動床ボイラ２へ供給する場合でも給水タンプ流量調節弁３９を制御することにより排ガス熱交換器６出口の給水を復水器１１へ供給すると復水器１１から排ガス熱交換器６出口の循環量が増加し排ガス熱交換器６出口の給水を復水器１１へ供給することにより、脱気器水位調節弁１３の通水量が増加するため脱気器水位調節弁１３の連続制御が可能性となる。このため、排ガス熱交換器６の給水量が増加し、ガス側および灰側からの入熱による排ガス熱交換器廻りの温度上昇を緩和することができ安定した運転状態を確保することが可能となる。
【００４２】
図６は、前述実施例（図５）の概略制御説明図である。本実施例は、復水流量計１５、脱気器水位計１８、給水ダンプ流量計３８、給水流量計２３および給水ダンプ流量に任意流量設定値を加えかつ最低流量を確保する様制限された流量設定回路および緊急停止モードの信号にてこの設定回路側へ切替え脱気器水位調節弁への制御設定値信号とする切替え回路並びに脱気器水位調節弁１３にて構成され、脱気器１７の出口給水量（給水流量）と脱気器１７の入口給水量（給水ダンプ流量、復水流量）により脱気器１７水位を補正し復水流量を脱気器水位調節弁１３で制御する。また脱気器１７水位が高くかつ緊急停止モードの場合においても常に給水ダンプ流量以上の復水流量を確保することが可能となる。
【００４３】
図７は、他の実施例（図６）の排ガス熱交換器廻りの流量特性図（緊急停止時モード時）である。給水タンプ流量が増加すると脱気器入口給水量が一定となり排ガス熱交換器６および脱気器水位調節弁１３の通水量が増加する。また、給水タンプ流量が無くなった場合は、脱気器水位調節弁１３を介し脱気器１７に少量の給水が供給される。なお、脱気器１７に供給された給水は、給水ポンプ２０にて昇圧し加圧流動床ボイラ２に給水される。
【００４４】
以上説明してきたようにこのように形成された加圧流動床複合発電プラントであると、給水を排ガス熱交換器へ供給するための供給系統が設けられていることから、緊急停止時および起動停止時に脱気器水位調節弁が全閉した場合であっても、排ガス熱交換器部へ給水が行われ、ガス側および灰側からの入熱による排ガス熱交換器廻りの温度上昇を緩和することができ安定した運転状態を確保することができるのである。
【００４５】
【発明の効果】
以上説明してきたように本発明によれば、プラントの起動停止時および緊急停止時に排ガス熱交換器廻りで発生するフラッシュを充分防止し、安定運転の確保，機器保護および信頼性の向上を図ることが可能なこの種の加圧流動床複合発電プラントを得ることができる。
【図面の簡単な説明】
【図１】本発明の加圧流動床複合発電プラントの一実施例を示す系統図である。
【図２】本発明の加圧流動床複合発電プラントの他の実施例を示す系統図である。
【図３】本発明の加圧流動床複合発電プラントの他の実施例を示す要部系統図である。
【図４】本発明の加圧流動床複合発電プラントの概略制御説明図である。
【図５】本発明の加圧流動床複合発電プラントの他の実施例を示す要部系統図である。
【図６】本発明の加圧流動床複合発電プラントの概略制御説明図である。
【図７】本発明の加圧流動床複合発電プラントの一実施例における流量特性図（緊急停止モード）である。
【図８】従来の加圧流動床複合発電プラントの要部系統図である。
【符号の説明】
１…ガスタービン圧縮機、２…加圧流動床ボイラ、３…燃料供給系統、４…ガスタービン、５…ガスタービン発電機、６…排ガス熱交換器、７…煙突、８…高圧蒸気タービン、９…再熱蒸気タービン、１０…蒸気タービン発電機、１１…復水器、１２…復水ポンプ、１３…脱気器水位調節弁、１４…低圧給水加熱器、１５…復水流量計、１６…排ガス熱交換器出口温度計、１７…脱気器、１８…脱気器水位計、１９…脱気器圧力計、２０…給水ポンプ、２１…給水流量調節弁、２２…高圧給水加熱器、２３…給水流量計、２４…給水循環ポンプ、２５…給水循環ポンプ出口流量計、２６…給水循環ポンプ出口流量調節弁、２７…高温冷却水タンク水位調節弁、２８…高温冷却水タンク、２９…高温冷却水ポンプ、３０…排ガス・灰クーラ、３１…冷却水圧力調節弁、３２…高温冷却水タンク圧力調節弁、３３…排ガス・灰クーラ出口給水流量計、３４…排ガス・灰クーラ出口給水流量調節弁、３５…高温冷却水タンク水位計、３６…高温冷却水タンク圧力計、３７…高温冷却水圧力計、３８…給水タンプ流量計、３９…給水タンプ流量調節弁、４０…脱気器水位制御装置、４１…給水タンプ流量制御装置、４２…抽気管、４３…抽気止め弁。
【図１】
0003604886.tif 000002
【図２】
0003604886.tif 000003
【図３】
0003604886.tif 000004
【図４】
0003604886.tif 000005
【図５】
0003604886.tif 000006
【図６】
0003604886.tif 000007
【図７】
0003604886.tif 000008
【図８】
0003604886.tif 000009